(57)【特許請求の範囲】
【請求項１】
ＯＦＤＭ方式を使用した通信方式で受信したチャネル状態情報に基づいて、データ送信に使用する変調方式及び符号化率を指定するＭＣＳレベルを適応的に制御する無線通信装置において、
通信相手から受信したチャネル状態情報を取得する機能と、
通信相手から受信したデータのＭＣＳレベルを取得する機能と、
データの受信確認結果を生成または取得する機能と、
ＭＣＳレベル毎にチャネル状態情報の補正量を記憶する機能と、
前記取得したＭＣＳレベルに対応するチャネル状態情報の補正量を、前記受信確認結果に基づいて更新する機能と、
前記更新を行った後のＭＣＳレベル毎のチャネル状態情報の補正量により、前記取得したチャネル状態情報を各ＭＣＳレベルで補正する機能と、
各ＭＣＳレベルで補正したチャネル状態情報に基づいて、次回の送信に使用するＭＣＳレベルを選択する機能と、を備え、
前記受信確認結果に応じた値と要求する受信成功率とを設定して前記チャネル状態情報の補正量の更新に供し、２つのＭＣＳレベル間の選択の切り替えを一方のＭＣＳレベルによるスループットと他方のＭＣＳレベルによるスループットとが同様な値となるポイントで行うようにする、
ことを特徴とする無線通信装置。
【請求項２】
サブキャリア毎に、ＭＣＳレベルを選択する処理を実行する、
ことを特徴とする請求項１に記載の無線通信装置。
【発明の詳細な説明】
【技術分野】
【０００１】
本発明は、無線通信装置に関し、特に、適応変調符号化（ＡＭＣ：Ａｄａｐｔｉｖｅ  Ｍｏｄｕｌａｔｉｏｎ  ａｎｄ  Ｃｏｄｉｎｇ）方式において、効果的に、変調方式及び符号化率（ＭＣＳレベル）を選択することができる無線通信装置に関する。
【背景技術】
【０００２】
ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式や適応変調符号化（ＡＭＣ）方式を使用する送受信装置が検討等されている。
従来方式では、例えば、送信装置が、受信相手先が測定したチャネル状態の情報（ＣＱＩ：Ｃｈａｎｎｅｌ  Ｑｕａｌｉｔｙ  Ｉｎｄｉｃａｔｏｒ）を受信し、ＣＱＩ情報に基づいてデータチャネルの変調方式及び符号化率（ＭＣＳレベル）を適応的に制御する方法として、ＣＱＩ情報をインデックスとするデータテーブルを持ち、通信相手先から通知されたＣＱＩ情報を元にＭＣＳレベルを選択する方法が検討されている。また、通信相手先から受信した再送制御情報（ＡＣＫ及びＮＡＣＫ）に応じて前記したデータテーブルを変更する方法が検討されている。
【先行技術文献】
【特許文献】
【０００３】
【特許文献１】特開２０１０−０７４３６５号公報
【発明の概要】
【発明が解決しようとする課題】
【０００４】
図６には、各ＭＣＳについて、ＯＦＤＭ通信のガウス雑音付加（ＡＷＧＮ）環境でのスループットとパケット誤り率（ＰＥＲ：Ｐａｃｋｅｔ  Ｅｒｒｏｒ  Ｒａｔｅ）の特性の一例を示してある。
図７には、各ＭＣＳについて、ＯＦＤＭ通信の動特性（フェージング）環境でのスループットとパケット誤り率の特性の一例を示してある。
【０００５】
図６及び図７のグラフにおいて、横軸は信号対雑音電力比（ＳＮＲ：Ｓｉｇｎａｌ  ｔｏ  Ｎｏｉｓｅ  Ｒａｔｉｏ）［ｄＢ］を表しており、左側の縦軸はスループット［ｂｐｓ］を表しており、右側の縦軸はＰＥＲを表している。
本例では、複数種類のＭＣＳとして、ＭＣＳ１はＢＰＳＫ（Ｂｉｎａｒｙ  Ｐｈａｓｅ  Ｓｈｉｆｔ  Ｋｅｙｉｎｇ）且つ符号化率１／２であり、ＭＣＳ２はＱＰＳＫ（Ｑｕａｄｒａｔｕｒｅ  Ｐｈａｓｅ  Ｓｈｉｆｔ  Ｋｅｙｉｎｇ）且つ符号化率１／２であり、ＭＣＳ３は１６ＱＡＭ（Ｑｕａｄｒａｔｕｒｅ  Ａｍｐｌｉｔｕｄｅ  Ｍｏｄｕｌａｔｉｏｎ）且つ符号化率１／２であり、ＭＣＳ４は６４ＱＡＭ且つ符号化率１／２である。
【０００６】
図６及び図７のグラフから、横軸のＳＮＲが同じであってもスループットやパケット誤り率が異なり得ることがわかる。
一般的に、ＯＦＤＭ方式では、フェージング（レイリー及び周波数選択性）環境においては、サブキャリア毎の受信品質が異なり、ＣＱＩ情報として一般的に用いられるＳＮＲやＳＩＲ（Ｓｉｇｎａｌ  ｔｏ  Ｉｎｔｅｒｆｅｒｅｎｃｅ  Ｒａｔｉｏ）で全送信帯域のチャネル状態を正確に表すことは困難である。
従って、ＣＱＩ情報でＭＣＳレベルを一元的に選択する方式では、実際の回線に適切なＭＣＳレベルを選択することができず、スループットやパケット誤りの特性の低下を招くという問題があった。
【０００７】
従来方式では、このような問題に対処するために、例えば、再送制御情報（ＡＣＫ及びＮＡＣＫ）を用いてＣＱＩ情報とＭＣＳレベルの結び付けを全通信装置について１つのデータテーブルで一体的に管理する方法が検討されている。
しかしながら、通信路は装置の位置によって異なるため、上記のような一体的な管理では、個々の通信装置で見た場合に必ずしも最適な制御とはならない可能性があった。また、装置毎に個別のデータテーブルを持ち個別に最適化することは、ハードウエア資源の問題から制約がある。また、個々のデータテーブルの最適化に到るまでに多くのパケット送受信が必要となるという問題があった。
【０００８】
本発明は、このような従来の事情に鑑み為されたもので、適応変調符号化（ＡＭＣ）方式において、効果的に、変調方式及び符号化率（ＭＣＳレベル）を選択することができる無線通信装置を提供することを目的とする。
【課題を解決するための手段】
【０００９】
上記目的を達成するため、本発明では、変調方式及び符号化率を指定する複数種類のＭＣＳレベルの中から送信に使用するＭＣＳレベルを決定する無線通信装置において、次のような構成とした。
すなわち、通信手段が、通信相手との間で通信する。情報取得手段が、前記通信手段による受信内容に基づいて、チャネル状態情報と、ＭＣＳレベルと、受信確認結果を取得する。補正量更新手段が、前記情報取得手段により取得された受信確認結果に基づいて、前記情報取得手段により取得されたＭＣＳレベルに対応する補正量を更新する。ＭＣＳ決定手段が、前記補正量更新手段により更新された補正量を用いて前記情報取得手段により取得されたチャネル状態情報を補正し、当該補正後のチャネル状態情報に基づいて、送信に使用するＭＣＳレベルを決定する。
従って、適応変調符号化（ＡＭＣ）方式において、効果的に、変調方式及び符号化率（ＭＣＳレベル）を選択することができる。
【００１０】
ここで、複数種類のＭＣＳレベルの数や、各ＭＣＳレベルの態様（変調方式と符号化率の組み合わせ）としては、それぞれ、種々なものが用いられてもよい。
また、通信相手としては、例えば、他の無線通信装置などが用いられる。
また、通信手段は、例えば、無線による送信や、無線による受信を行う。
また、チャネル状態情報としては、種々な情報が用いられてもよい。
また、受信確認結果としては、例えば、ＡＣＫやＮＡＣＫを用いることができる。
【００１１】
また、補正量を更新する方法としては、種々なものが用いられてもよく、例えば、所定の数式を使用する方法を用いることができる。
また、補正量を用いてチャネル状態情報を補正する方法としては、種々なものが用いられてもよく、例えば、所定の数式（一例として、差をとる式）を使用する方法を用いることができる。
また、補正後のチャネル状態情報に基づいてＭＣＳレベルを決定する方法としては、種々なものが用いられてもよく、例えば、１つ以上の閾値を用いて、補正後のチャネル状態情報と各閾値との大小関係を判定し、その結果に基づいてＭＣＳレベルを決定する方法を用いることができる。
【発明の効果】
【００１２】
以上説明したように、本発明に係る無線通信装置によると、適応変調符号化（ＡＭＣ）方式において、効果的に、変調方式及び符号化率（ＭＣＳレベル）を選択することができる。
【図面の簡単な説明】
【００１３】
【図１】本発明の一実施例に係るＭＣＳ選択回路の構成例を示す図である。
【図２】ＭＣＳ選択回路により行われる処理の手順の一例を示すフローチャートの図である。
【図３】ＭＣＳ選択法を用いた場合における、ＯＦＤＭ通信のガウス雑音付加（ＡＷＧＮ）環境でのスループットとパケット誤り率（ＰＥＲ）の特性の一例を示す図である。
【図４】ＭＣＳ選択法を用いた場合における、ＯＦＤＭ通信の動特性（フェージング）環境でのスループットとパケット誤り率の特性の一例を示す図である。
【図５】本発明の一実施例に係る無線通信装置の概略的な構成例を示す図である。
【図６】各ＭＣＳについてＯＦＤＭ通信のガウス雑音付加（ＡＷＧＮ）環境でのスループットとパケット誤り率の特性の一例を示す図である。
【図７】各ＭＣＳについてＯＦＤＭ通信の動特性（フェージング）環境でのスループットとパケット誤り率の特性の一例を示す図である。
【発明を実施するための形態】
【００１４】
本発明に係る実施例を図面を参照して説明する。
まず、本発明の一実施例に係る無線通信装置の概要を説明する。
図５には、本発明の一実施例に係る無線通信装置１０１の概略的な構成例を示してある。
本例の無線通信装置１０１は、各種の処理や制御を行う制御部１１１、符号化や変調などの送信に関する処理を行う送信部１１２、復号化や復調などの受信に関する処理を行う受信部１１３、送信部１１２により送信に使用される送信アンテナ１１４、受信部１１３により受信に使用される受信アンテナ１１５を備えている。制御部１１１には、ＭＣＳ選択部１２１を備えている。
【００１５】
ここで、制御部１１１は、各種の情報を記憶する記憶部を有する。
また、送信アンテナ１１４と受信アンテナ１１５は、共通化されていてもよい。
また、本例の無線通信装置１０１は、例えば、基地局装置と移動局装置等とがＯＦＤＭ方式を使用して無線により通信する無線通信システムの基地局装置に適用され、或いは、移動局装置等に適用される。
【００１６】
次に、更に詳しく説明する。
図１には、本発明の一実施例に係るＭＣＳ選択回路１の構成例を示してある。
本例では、ＣＱＩ情報として、ＳＮＲ（或いは、ＳＩＲなど）の値が用いられる。
また、本例では、複数種類のＭＣＳレベルとして、ＭＣＳ１〜ＭＣＳ４が使用されるとする。具体的には、ＭＣＳ１はＢＰＳＫ且つ符号化率１／２であり、ＭＣＳ２はＱＰＳＫ且つ符号化率１／２であり、ＭＣＳ３は１６ＱＡＭ且つ符号化率１／２であり、ＭＣＳ４は６４ＱＡＭ且つ符号化率１／２である。
【００１７】
本例のＭＣＳ選択回路１には、ＭＣＳ２に関する補正値（補正値ＭＣＳ２）を記憶する記憶素子（補正値ＭＣＳ２記憶素子）２と、ＭＣＳ３に関する補正値（補正値ＭＣＳ３）を記憶する記憶素子（補正値ＭＣＳ３記憶素子）３と、ＭＣＳ４に関する補正値（補正値ＭＣＳ４）を記憶する記憶素子（補正値ＭＣＳ４記憶素子）４が、接続されている。また、各補正値ＭＣＳ２〜４が変更された場合には、対応する各記憶素子２〜４の記憶内容がＭＣＳ選択回路１により書き換えられる。
【００１８】
また、本例のＭＣＳ選択回路１の内部又は外部の記憶部には、ＭＣＳ２に関する閾値（閾値ＭＣＳ２）と、ＭＣＳ３に関する閾値（閾値ＭＣＳ３）と、ＭＣＳ４に関する閾値（閾値ＭＣＳ４）が記憶されている。
本例では、閾値ＭＣＳ４＞閾値ＭＣＳ３＞閾値ＭＣＳ２、であるとする。
【００１９】
本例のＭＣＳ選択回路１では、情報として、ＰＨＹ（Ｐｈｙｓｉｃａｌ  Ｌａｙｅｒ）の受信装置（受信部）の受信復調結果に基づいて、通信相手の装置から受信したデータのＭＣＳレベル（受信ＭＣＳ）、通信相手の装置から受信した受信確認結果（ＡＣＫ／ＮＡＣＫ）、通信相手の装置から受信したＣＱＩ情報（受信時のＣＱＩ情報）が入力され、また、当該ＭＣＳ選択回路１により次回の送信に使用するＭＣＳレベルを決定して、送信装置（送信部）の側のＭＡＣ（Ｍｅｄｉｕｍ  Ａｃｃｅｓｓ  Ｃｏｎｔｒｏｌ）へ通知する。
【００２０】
ここで、本例では、受信ＭＣＳは、通信相手の装置から自装置（本例の無線通信装置）へ送信されるデータで使用されるＭＣＳレベルであり、通信相手の装置から自装置へ通知され、また、受信確認結果（ＡＣＫ／ＮＡＣＫ）は、通信相手の装置が自装置からの受信データについて判定した結果であり、通信相手の装置から自装置へ通知され、また、ＣＱＩ情報は、通信相手の装置が自装置からの受信信号に基づいて判定した結果であり、通信相手の装置から自装置へ通知される。なお、他の構成例として、本例の無線通信装置が、通信相手の装置から受信される信号に基づいて自らＣＱＩを判定してＣＱＩ情報を取得する構成とすることも可能である。
【００２１】
また、本例では、図１に示されるＭＣＳ選択回路１及び記憶素子２〜４は、図５に示されるＭＣＳ選択部１２１に設けられている。
また、本例では、通信相手の装置から受信部１１３により受信したデータのＭＣＳレベル（受信ＭＣＳ）の情報、通信相手の装置から受信部１１３により受信した受信確認結果（ＡＣＫ／ＮＡＣＫ）の情報、通信相手の装置から受信部１１３により受信したＣＱＩの情報（受信時のＣＱＩ情報）がＭＣＳ選択回路１へ入力され、また、ＭＣＳ選択回路１は、次回の送信に使用するＭＣＳレベルを決定して、それを送信部１１２へ通知する。送信部１１２では、通知されたＭＣＳレベルに基づいて、データチャネルの変調方式や符号化率（ＭＣＳレベル）を切り替える。
【００２２】
図２には、本例のＭＣＳ選択回路１により行われる処理（ＭＣＳを選択する処理）の手順の一例を示してある。
まず、受信ＭＣＳ、受信確認結果、ＣＱＩ情報について、最新の値を入力する（ステップＳ１）。
入力した受信確認結果に基づいて、当該受信確認結果がＮＡＣＫであるか或いはＡＣＫであるかを判定し（ステップＳ２）、当該受信確認結果がＮＡＣＫであると判定した場合には補正値を１に設定する一方（ステップＳ３）、当該受信確認結果がＡＣＫであると判定した場合には補正値を０に設定する（ステップＳ４）。
【００２３】
次に、入力した受信ＭＣＳがいずれであるか（本例では、ＭＣＳ１〜ＭＣＳ４のいずれであるか）を判定する（ステップＳ５）。
この結果、受信ＭＣＳがＭＣＳ１であると判定した場合には、ステップＳ９の処理へ移行する。
また、受信ＭＣＳがＭＣＳ２であると判定した場合には、次の式により、補正値ＭＣＳ２の値を更新して（ステップＳ６）、ステップＳ９の処理へ移行する。
【００２４】
（補正値ＭＣＳ２の更新式）
更新後の補正値ＭＣＳ２
＝更新前の補正値ＭＣＳ２
＋μ×（補正値−設定ＰＥＲ）
【００２５】
同様に、受信ＭＣＳがＭＣＳ３であると判定した場合には、次の式により、補正値ＭＣＳ３の値を更新して（ステップＳ７）、ステップＳ９の処理へ移行する。
【００２６】
（補正値ＭＣＳ３の更新式）
更新後の補正値ＭＣＳ３
＝更新前の補正値ＭＣＳ３
＋μ×（補正値−設定ＰＥＲ）
【００２７】
同様に、受信ＭＣＳがＭＣＳ４であると判定した場合には、次の式により、補正値ＭＣＳ４の値を更新して（ステップＳ８）、ステップＳ９の処理へ移行する。
【００２８】
（補正値ＭＣＳ４の更新式）
更新後の補正値ＭＣＳ４
＝更新前の補正値ＭＣＳ４
＋μ×（補正値−設定ＰＥＲ）
【００２９】
このように、受信ＭＣＳ毎の補正値ＭＣＳ２〜４（本例では、ＭＣＳ１は除いてある）を更新する。
ここで、補正値ＭＣＳ２〜４の初期値としては、種々な値が設定されて用いられてもよく、例えば、全てのＭＣＳ２〜４について同一の初期値が用いられてもよく、或いは、各ＭＣＳ２〜４毎に異なり得る初期値が用いられてもよい。
また、μは、正の固定値であり、種々な値が用いられてもよい。
【００３０】
また、設定ＰＥＲとしては、種々な値が用いられてもよく、例えば、固定値であってもよく、又は、送信するアプリケーションデータの種類（ＱｏＳ）或いはＭＣＳレベルなどにより個別に設定することが可能な構成が用いられてもよい。具体例として、最大送信遅延量の制約が厳しい（再送を減らす必要がある）データを通信する場合には、設定ＰＥＲは低く設定されるのが好ましく、一方、ある程度の遅延が許容できるデータを通信する場合には、スループットが最大となる値を任意に設定することが可能となる。
【００３１】
ステップＳ９の処理では、入力したＣＱＩ情報の値から補正値ＭＣＳ４を減算した結果が、閾値ＭＣＳ４以上であるか否かを判定する（ステップＳ９）。
この結果、そうであると判定した場合には、変調方式及び符号化率（本例では、次回の送信に使用するＭＣＳレベル）としてＭＣＳ４を決定して設定し（ステップＳ１０）、本処理を終了する一方（ステップＳ１６）、そうではないと判定した場合には、ステップＳ１１の処理へ移行する。
【００３２】
ステップＳ１１の処理では、入力したＣＱＩ情報の値から補正値ＭＣＳ３を減算した結果が、閾値ＭＣＳ３以上であるか否かを判定する（ステップＳ１１）。
この結果、そうであると判定した場合には、変調方式及び符号化率（本例では、次回の送信に使用するＭＣＳレベル）としてＭＣＳ３を決定して設定し（ステップＳ１２）、本処理を終了する一方（ステップＳ１６）、そうではないと判定した場合には、ステップＳ１３の処理へ移行する。
【００３３】
ステップＳ１３の処理では、入力したＣＱＩ情報の値から補正値ＭＣＳ２を減算した結果が、閾値ＭＣＳ２以上であるか否かを判定する（ステップＳ１３）。
この結果、そうであると判定した場合には、変調方式及び符号化率（本例では、次回の送信に使用するＭＣＳレベル）としてＭＣＳ２を決定して設定し（ステップＳ１４）、本処理を終了する一方（ステップＳ１６）、そうではないと判定した場合には、変調方式及び符号化率（本例では、次回の送信に使用するＭＣＳレベル）としてＭＣＳ１を決定して設定し（ステップＳ１５）、本処理を終了する（ステップＳ１６）。
【００３４】
このように、ＣＱＩから各ＭＣＳレベルで設定されている補正値ＭＣＳ２〜４を減じて、所要のＣＱＩの大きさ（閾値ＭＣＳ２〜４の条件）を満足するＭＣＳのレベルを決定し、これにより、次回の送信に供するＭＣＳレベルを決定する。
【００３５】
なお、ステップＳ９の処理や、ステップＳ１１の処理や、ステップＳ１３の処理では、ＣＱＩ情報の値から補正値ＭＣＳ２〜４を減算した結果が閾値ＭＣＳ２〜４以上であるか否かを判定する場合を示したが、他の構成例として、ＣＱＩ情報の値から補正値ＭＣＳ２〜４を減算した結果が閾値ＭＣＳ２〜４を超えるか否かを判定する構成が用いられてもよい。
【００３６】
ここで、本例では、各補正値ＭＣＳ２〜４が各ＭＣＳ個別に設けられている構成を示したが、他の構成例として、全てのＭＣＳに共通化した補正値ＭＣＳを設けることも可能である。また、このように全てのＭＣＳに共通化した補正値ＭＣＳを、各ＭＣＳ個別の補正値ＭＣＳ２〜４とは別枠の補正値として、管理等することや、或いは、各ＭＣＳ個別の補正値ＭＣＳ２〜４を排除して（用いずに）、全てのＭＣＳに共通化した補正値ＭＣＳによって全てのＭＣＳを管理等することなども可能である。
また、例えば、各ＭＣＳの補正値は、各ＭＣＳ個別に設けられてもよく、他の構成例として、全てのＭＣＳに共通化した補正値を設けることも可能である。また、このように全てのＭＣＳに共通化した補正値を、各ＭＣＳ個別の補正値とは別枠の補正値として、管理等することや、或いは、各ＭＣＳ個別の補正値を排除して（用いずに）、全てのＭＣＳに共通化した補正値によって全てのＭＣＳを管理等することなども可能である。
【００３７】
図３には、本例のＭＣＳ選択法を用いた場合における、ＯＦＤＭ通信のガウス雑音付加（ＡＷＧＮ）環境でのスループットとパケット誤り率（ＰＥＲ）の特性の一例を示してある。
図４には、本例のＭＣＳ選択法を用いた場合における、ＯＦＤＭ通信の動特性（フェージング）環境でのスループットとパケット誤り率の特性の一例を示してある。
【００３８】
図３及び図４のグラフにおいて、横軸はＳＮＲ［ｄＢ］を表しており、左側の縦軸はスループット［ｂｐｓ］を表しており、右側の縦軸はＰＥＲを表している。
本例では、スループット（本例のＳＮＲ補正方式を用いた場合）、スループット（変調方式を固定的に選択した場合）、ＰＥＲ（本例のＳＮＲ補正方式を用いた場合）、ＰＥＲ（変調方式を固定的に選択した場合）について、特性を示してある。
【００３９】
ここで、図３のグラフ及び図４のグラフは、それぞれ、図６のグラフ及び図７のグラフに対して、同じ伝播路条件で、本例のＭＣＳ選択処理を行った場合におけるスループット及びＰＥＲを示したものである。これと共に、図３のグラフ及び図４のグラフでは、それぞれ、図６のグラフ及び図７のグラフにおいてＳＮＲ毎に最大のスループットを固定的に設定した場合（最適選択の場合）におけるスループット及びＰＥＲを参考として示してあるが、図３のグラフ及び図４のグラフから、本例のＭＣＳ選択法により最適選択時と比べてほとんど劣化がない性能が得られることがわかる。
【００４０】
以上のように、本例では、ＯＦＤＭ方式を使用した通信方式で受信したチャネル状態情報（ＣＱＩ情報）に基づいて、データ送信に使用する変調方式及び符号化率（ＭＣＳレベル）を適応的に制御する無線通信装置において、通信相手から受信したチャネル状態情報（ＣＱＩ情報）を取得する機能と、通信相手から受信したデータのＭＣＳレベル（受信ＭＣＳ）を取得する機能と、データの受信確認結果を生成や取得する機能と、各ＭＣＳレベルに対応するチャネル状態情報（ＣＱＩ情報）の補正量（本例では、補正値ＭＣＳ２〜４）を記憶する機能と、受信ＭＣＳに対応するチャネル状態情報（ＣＱＩ情報）の補正量の記憶内容を受信確認結果により更新する機能（本例では、図２におけるステップＳ２〜ステップＳ８に対応する機能）と、チャネル状態情報（ＣＱＩ情報）をその補正量の記憶内容により各ＭＣＳレベルで補正して補正後のチャネル状態情報を生成する機能（本例では、図２におけるステップＳ９、ステップＳ１１、ステップＳ１３に対応する機能）と、各ＭＣＳレベルの補正後のチャネル状態情報に基づいて次回の送信に使用するＭＣＳレベルを選択する機能（本例では、図２におけるステップＳ１０、ステップＳ１２、ステップＳ１４、ステップＳ１５の機能）と、を備える。
【００４１】
また、本例の無線通信装置では、チャネル状態情報（ＣＱＩ情報）の補正量の記憶内容の更新方法において、受信確認結果と要求する受信成功率（本例では、設定ＰＥＲ）を設定して更新に供する。
また、本例の無線通信装置では、例えば、ＯＦＤＭ方式において、サブキャリア毎に、図２に示されるようなＭＣＳ選択の処理を実行することが可能である。
【００４２】
従って、本例の無線通信装置では、ＭＣＳレベルについて、送信装置（送信部）が選択するのではなく、受信装置（受信部）において適切なＭＣＳレベルを選択して送信装置（送信部）へ通知することができる。本例では、例えば、装置個別に、無線伝播路の変化やアプリケーションのＱｏＳにも容易に対応することが可能であり、最適なＭＣＳレベルを選択することが可能である。
【００４３】
このように、本例の無線通信装置に設けられた送信装置（送信部）や受信装置（受信部）において、受信装置では通信相手の装置からの受信内容に基づいて送信装置で使用するのに適したＭＣＳレベルを決定して送信装置へ通知し、送信装置では受信装置から通知されたＭＣＳレベルを次回（或いは、将来における他の所定のタイミング）の送信（例えば、前記した通信相手の装置への送信）に使用するように設定する。
【００４４】
なお、本例の無線通信装置では、送信装置（送信部）の機能や受信装置（受信部）の機能により通信手段が構成されており、ＭＣＳ選択回路１によりチャネル状態情報（ＣＱＩ情報）や受信ＭＣＳ（ＭＣＳレベル）や受信確認結果を取得する機能により情報取得手段が構成されており、ＭＣＳ選択回路１により図２に示されるステップＳ２〜ステップＳ８の処理のように補正量（本例では、補正値ＭＣＳ２〜４）を更新する機能により補正量更新手段が構成されており、ＭＣＳ選択回路１により図２に示されるステップＳ９〜ステップＳ１５の処理のようにＣＱＩ情報を補正してＭＣＳレベルを決定する機能によりＭＣＳ決定手段が構成されている。
【００４５】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【符号の説明】
【００４６】
１・・ＭＣＳ選択回路、  ２・・補正値ＭＣＳ２の記憶素子、  ３・・補正値ＭＣＳ３の記憶素子、  ４・・補正値ＭＣＳ４の記憶素子、
１０１・・無線通信装置、  １１１・・制御部、  １１２・・送信部、  １１３・・受信部、  １１４・・送信アンテナ、  １１５・・受信アンテナ、  １２１・・ＭＣＳ選択部、
【図１】
0005658954.tif 000002
【図２】
0005658954.tif 000003
【図３】
0005658954.tif 000004
【図４】
0005658954.tif 000005
【図５】
0005658954.tif 000006
【図６】
0005658954.tif 000007
【図７】
0005658954.tif 000008